(57)【要約】【課題】ケース体を窓ガラスやドア等の被取付部への取付を簡単かつ確実になし得ると共に、ケース体の取付位置の変更も容易に行うことができるようにする。【解決手段】ケース体に警報器とセンサとが設けられ、センサが目的物を検出したときに、警報器を作動させるようにした警報装置において、  ケース体を被取付部に吸引装着するための吸盤と、被取付部に吸引装着した吸盤内を負圧にして吸盤の吸着力を増大させるための操作具とが設けられている。【選択図】図３
2007286910.tif 000002
【特許請求の範囲】
【請求項１】
ケース体（２）に警報器（８）とセンサとが設けられ、センサが目的物を検出したときに、警報器（８）を作動させるようにした警報装置において、
ケース体（２）を被取付部に吸引装着するための吸盤（３５）と、被取付部に吸引装着した吸盤（３５）内を負圧にして吸盤（３５）の吸着力を増大させるための操作具とが設けられていることを特徴とする警報装置。
【請求項２】
前記ケース体（２）に、警報器（８）の電源となる電池（９）と電源スイッチ（１１）とが設けられ、前記操作具を吸盤（３５）の吸着力を増大させるべく操作したときに、操作具の操作に連動して前記電源スイッチ（１１）がオンするように構成されていることを特徴とする請求項１に記載の警報装置。
【請求項３】
前記操作具がダイヤル（３６）により構成され、吸盤（３５）とダイヤル（３６）とはケース体（２）を挟んで対向するように配置され、吸盤（３５）の背面側の中央部に第１ねじ部材（４４）が設けられ、ダイヤル（３６）の回動操作により第１ねじ部材（４４）に対して締弛するように第１ねじ部材（４４）に螺合する第２ねじ部材（４５）がダイヤル（３６）に設けられ、電源スイッチ（１１）の作動片（１１ａ）がダイヤル（３６）に対応してケース体（２）から突出するように設けられ、第１ねじ部材（４４）に対して第２ねじ部材（４５）を締めるべくダイヤル（３６）を回動することにより、被取付部に吸引装着した吸盤（３５）の中央部をケース体（２）内方に引っ張って吸盤（３５）内を負圧にすると共に、ダイヤル（３６）がケース体（２）に接近移動して前記電源スイッチ（１１）の作動片（１１ａ）を押圧して、電源スイッチ（１１）をオンさせるようにしたことを特徴とする請求項２に記載の警報装置。
【請求項４】
前記センサが振動センサ（１３）とされ、吸盤（３５）を被取付部に吸引装着したときに振動センサ（１３）が被取付部に押圧するように、振動センサ（１３）がケース体（２）に出退移動自在に保持されると共に振動センサ（１３）を突出方向に付勢するバネ（２８）が設けられていることを特徴とする請求項１〜３のいずれかに記載の警報装置。
【請求項５】
前記センサがリミットスイッチ（１４）により構成され、リミットスイッチ（１４）を押圧する押圧体（３０）がケース体（２）に出退移動自在に保持され、押圧体（３０）に物が衝当して、押圧体（３０）がケース体（２）内側に後退移動したとき、前記リミットスイッチ（１４）が押圧されてオンすることにより、警報器（８）が作動するように構成されていることを特徴とする請求項１〜３のいずれかに記載の警報装置。
【請求項６】
前記振動センサ（１３）は、窓ガラス（１０）の振動を検出するセンサとされ、吸盤（３５）でケース体（２）を被取付部である窓ガラス（１０）に吸引装着するようにしたことを特徴とする請求項４に記載の警報装置。
【請求項７】
前記振動センサ（１３）が、ドア（６７）の鍵穴をあける際の金属音の振動を検出するピッキングセンサとされ、吸盤（３５）でケース体（２）を被取付部であるドア（６７）に吸引装着するようにしたことを特徴とする請求項４に記載の警報装置。
【発明の詳細な説明】
【技術分野】
【０００１】
本発明は、防犯用、防災用その他の警報装置に関する。
【背景技術】
【０００２】
例えば、防犯用の警報装置には、ケース体に、警報ブザー等の警報器と該警報器の電源となる電池と電源スイッチと振動センサとが設けられ、振動センサが窓ガラスの割れによる振動やピッキングによるドアの振動を検出したときに、警報器を作動させるようにしたものがあり、この種の従来の警報装置では、ケース体を両面接着テープや接着剤で被取付部である窓ガラスや窓枠やドアに固定するようにしていた（例えば特許文献１又は特許文献２）。
【特許文献１】特開２００４−２０６２７９号公報
【特許文献２】特開２００５−７８４９９号公報
【特許文献３】特開２００４−２０６６１６号公報
【発明の開示】
【発明が解決しようとする課題】
【０００３】
従って、従来では、両面接着テープや接着剤を使用しているため、ケース体の窓ガラスやドア等の被取付部への取付作業が面倒であった。また、ケース体の被取付部への取付位置を変更する場合、ケース体が両面接着テープや接着剤で被取付部に固定されているため、取付位置の変更等の付け替え作業も非常に面倒であった。
本発明は上記問題点に鑑み、ケース体を窓ガラスやドア等の被取付部への取付を簡単かつ確実になし得ると共に、ケース体の取付位置の変更も容易に行うことができるようにしたものである。
【課題を解決するための手段】
【０００４】
この技術的課題を解決する本発明の技術的手段は、ケース体に警報器とセンサとが設けられ、センサが目的物を検出したときに、警報器を作動させるようにした警報装置において、
ケース体を被取付部に吸引装着するための吸盤と、被取付部に吸引装着した吸盤内を負圧にして吸盤の吸着力を増大させるための操作具とが設けられている点にある。
また、本発明の他の技術的手段は、前記ケース体に、警報器の電源となる電池と電源スイッチとが設けられ、前記操作具を吸盤の吸着力を増大させるべく操作したときに、操作具の操作に連動して前記電源スイッチがオンするように構成されている点にある。
【０００５】
また、本発明の他の技術的手段は、前記操作具がダイヤルにより構成され、吸盤とダイヤルとはケース体を挟んで対向するように配置され、吸盤の背面側の中央部に第１ねじ部材が設けられ、ダイヤルの回動操作により第１ねじ部材に対して締弛するように第１ねじ部材に螺合する第２ねじ部材がダイヤルに設けられ、電源スイッチの作動片がダイヤルに対応してケース体から突出するように設けられ、第１ねじ部材に対して第２ねじ部材を締めるべくダイヤルを回動することにより、被取付部に吸引装着した吸盤の中央部をケース体内方に引っ張って吸盤内を負圧にすると共に、ダイヤルがケース体に接近移動して前記電源スイッチの作動片を押圧して、電源スイッチをオンさせるようにした点にある。
【０００６】
また、本発明の他の技術的手段は、前記センサが振動センサとされ、吸盤を被取付部に吸引装着したときに振動センサが被取付部に押圧するように、振動センサがケース体に出退移動自在に保持されると共に振動センサを突出方向に付勢するバネが設けられている点にある。
また、本発明の他の技術的手段は、前記センサがリミットスイッチにより構成され、リミットスイッチを押圧する押圧体がケース体に出退移動自在に保持され、押圧体に物が衝当して、押圧体がケース体内側に後退移動したとき、前記リミットスイッチが押圧されてオンすることにより、警報器が作動するように構成されている点にある。
【０００７】
また、本発明の他の技術的手段は、前記振動センサは、窓ガラスの振動を検出するセンサとされ、吸盤でケース体を被取付部である窓ガラスに吸引装着するようにした点にある。
また、本発明の他の技術的手段は、前記振動センサが、ドアの鍵穴をあける際の金属音の振動を検出するピッキングセンサとされ、吸盤でケース体を被取付部であるドアに吸引装着するようにした点にある。
【発明の効果】
【０００８】
本発明によれば、吸盤を使用することにより、ケース体を窓ガラスやドア等の被取付部への取付を簡単になし得る。また、操作具により、被取付部に吸引装着した吸盤内を負圧にして吸盤の吸着力を増大させることができるため、ケース体を吸盤により確実かつ強固に取り付けることができる。しかも、吸盤を使用してケース体を被取付部に固定しているため、ケース体の被取付部からの取り外しも容易になすことができ、ケース体の取付位置の変更も容易に行うことができ、非常に便利である。
【発明を実施するための最良の形態】
【０００９】
以下、本発明の実施の形態を図面に基づいて説明する。
図１〜図９において、１は防犯用の警報装置で、ケース体２を備える。ケース体２はケース本体３と隔壁体４とを備え、ケース本体３は天壁３ａと底壁３ｂと周壁３ｃとを有する直方体形状に形成されている。隔壁体４は板状に形成され、ケース本体３の天壁３ａと底壁３ｂとの中間部に配置されて、止めねじ等の固定具５でケース本体３に固定されている。
ケース体２に、警報器である警報ブザー８と該警報ブザー８の電源となる電池９と電源スイッチ１１とが設けられている。また、ケース体２に、センサとして、引き違い窓の窓ガラス１０の割れ等による振動を検出する振動センサ１３と、引き違い窓が開いたことを検出するリミットスイッチ１４とが設けられている。ケース本体３の周壁３ｃにＬＥＤにより構成した表示灯（警報灯）１５が外部に露出するように設けられている。警報ブザー８はケース体２の天壁３ａの内側に収納保持され、警報ブザー８に対応するケース本体３の天壁３ａに通孔１７が設けられている。
【００１０】
ケース体２の一端部に電池収納部１９が形成され、ケース本体３の天壁３ａと周壁３ｃとの間に、電池収納部１９に対応して電池９を出し入れするための開口部２０が形成され、開口部２０を蓋体２１により開閉自在に閉塞できるようになっている。蓋体２１に押圧片２２が突設されており、電池収納部１９に電池９を収納して開口部２０を蓋体２１で塞いだときに、蓋体２１の押圧片２２で電池９を電池収納部１９の底部に動かないように押圧固定するようになっている。
図７に示すように、電源スイッチ１１はリミットスイッチにより構成され、ケース本体３の天壁３ａ内方の、後述するダイヤル３６に対応する位置に収納され、電源スイッチ１１の作動片１１ａは、天壁３ａに形成した挿通孔２３を通して外部に突出されている。
【００１１】
振動センサ１３は、窓ガラス１０が割れる際等の窓ガラス１０の振動を検出するもので、圧電素子１３ａを外端部（底部）に内蔵してセンサケースでユニット化してなる。図８にも示すように、隔壁体４に一対の案内ピン２５がケース本体３の底壁３ｂに向けて突設され、この一対の案内ピン２５に一対の嵌合孔２６を介して振動センサ１３が摺動自在に外嵌され、これにより、振動センサ１３はケース本体３の底壁３ｂに設けた開口部２７から出退するようにケース体２の底壁３ｂ及び隔壁体４に出退移動自在に保持されている。ケース体２内の振動センサ１３と隔壁体４との間に振動センサ１３を突出方向に付勢するバネ２８が設けられ、このバネ２８は一対あって、一対の案内ピン２５にそれぞれ外嵌されており、後述する吸盤３５を被取付部である窓ガラス１０に吸引装着したときに振動センサ１３が被取付部である窓ガラス１０に押圧するようになっている。
【００１２】
前記引き違い窓が開いたことを検出するリミットスイッチ１４は、固定接点１４ａと可動接点１４ｂとを有し、ケース体２内であって振動センサ１３上方の隔壁体４に取り付けられている。リミットスイッチ１４を押圧する押圧体３０がケース体２の周壁３ｃの一端部に開口窓３１を通して出退移動自在に保持され、引き違い窓を開いた際に開いた窓の窓枠が押圧体３０に衝当することにより、押圧体３０がケース体２内側に押圧されて後退移動し、このとき、リミットスイッチ１４の可動接点１４ｂが固定接点１４ａに押圧接当してリミットスイッチ１４がオンして、警報ブザー８が作動するように構成されている。
【００１３】
ケース体２を窓ガラス１０に吸引装着するための吸盤３５と、窓ガラス１０に吸引装着した吸盤３５内を負圧にして吸盤３５の吸着力を増大させるための操作具であるダイヤル３６とが設けられている。吸盤３５はゴム又は柔軟な合成樹脂により円盤状に形成されている。
ケース本体３の底壁３ｂに取付窓３８が設けられ、この取付窓３８からケース体２内に吸盤３５の背面側が挿入されて、吸盤３５の吸着面側が取付窓３８を通してケース体２から外部に露出するようにケース体２に保持されている。ケース本体３の周壁３ａ及び隔壁体４に、吸盤３５の外周部にケース体２側から押圧接当する接当部３９が設けられている。隔壁体４に吸盤３５の背面凸部４０を嵌合する嵌合凹部４１が形成され、嵌合凹部４１に吸盤３５の背面凸部４０が嵌合され、隔壁体４の嵌合凹部４１の中央部に連通孔４２が設けられている。
【００１４】
吸盤３５とダイヤル３６とはケース体２を挟んで対向するように配置され、吸盤３５の背面側の中央部に第１ねじ部材４４が設けられ、ダイヤル３６の回動操作により第１ねじ部材４４に対して締弛するように第１ねじ部材４４に螺合する第２ねじ部材４５がダイヤル３６に設けられている。吸盤３５の第１ねじ部材４４は、ネジ軸により構成されて吸盤３５の背面側の中央部から突出されて隔壁体４の嵌合凹部４１の連通孔４２に挿通されて、ダイヤル３６に向けて突出されている。ダイヤル３６の第２ねじ部材４５は、円筒状の雌ネジにより構成されて、ダイヤル３６の中央部に突設した筒軸部３６ａに内嵌固定されている。而して、第１ねじ部材４４に対して第２ねじ部材４５を締めるべくダイヤル３６を回動することにより、窓ガラス１０に吸引装着した吸盤３５の中央部をケース体２内方に引っ張って吸盤３５内を負圧にすると共に、ダイヤル３６がケース体２に接近移動して前記電源スイッチ１１の作動片１１ａを押圧して、電源スイッチ１１をオンさせるように構成されている。
【００１５】
ケース本体３の天壁３ａと隔壁体４との間に、制御基板４７が止めねじ等の締結具により固定されている。制御基板４７に、図示省略の制御部が設けられると共に、図９に示す増幅回路４８、比較回路４９、ブザータイマ回路５０、音出力回路５１、動作表示タイマ回路５２、電池電圧検出回路５３が配置されている。
図９は警報ブザー８及び表示灯１５を作動させるための電気制御系のブロック図を示している。同図において、振動センサ１３は窓ガラス１０の振動を検出し、その検出した振動の大きさに対応した電圧をもつ検出信号Ｓ１を出力する。増幅回路４８は、振動センサ１３の検出信号Ｓ１を入力して増幅する。比較回路４９は、増幅回路４８を介して入力した振動センサ１３の検出信号Ｓ１の電圧と、予め設定した基準電圧とを比較して、検出信号Ｓ１の電圧が大であれば（窓ガラス１０が所定以上に振動したとき）、検出信号Ｓ２を出力する。
【００１６】
ブザータイマ回路５０は、比較回路４９から検出信号Ｓ２を入力し又はリミットスイッチ１４から検出信号Ｓ３を入力したとき、駆動信号Ｓ４を音出力回路５１に一定期間出力する。音出力回路５１は、ブザータイマ回路５０から駆動信号Ｓ４を入力する間に、警報ブザー８を作動させると共に表示灯１５を点灯させる。
電池電圧検出回路５３は、電池収納部１９に収納した電池９の電圧を検出して、電池９の電圧が所定電圧（例えば２．５Ｖ）以下に低下したとき表示灯１５を点灯させる。動作表示タイマ回路５２は、電池収納部１９に電池９を収納しているときに動作し、一定間隔おきに表示灯１５を点滅動作させる（例えば１１秒おきに０．０１秒点灯させる）。これにより警報ブザー８が動作可能状態にあることを知らせる。
【００１７】
上記実施の形態によれば、ケース体２（警報装置１）を窓ガラス１０に取り付ける場合、図３のように吸盤３５が窓ガラス１０から離れた状態から、図４に示すようにケース体２を窓ガラス１０に近づけ、吸盤３５を窓ガラス１０に押し付けて吸盤３５でケース体２を窓ガラス１０に吸引装着する。その後、図５に示すように、ダイヤル３６を軸心廻りに回動して締め付けると、吸盤３５の中央部がケース体２内方に引っ張られて吸盤３５内（吸盤３５と窓ガラス１０の間）が負圧になり、これにより吸盤３５の吸引力が増大され、吸盤３５乃至ケース体２が窓ガラス１０に強固に取り付けられる。このとき、ダイヤル３６がケース体２に接近して、電源スイッチ１１の作動片１１ａを押圧することにより、電源スイッチ１１をオンさせる。従って、操作具であるダイヤル３６の操作に連動して電源スイッチ１１がオンして、警報装置１が動作可能状態になる。
【００１８】
また、ケース体２（警報装置１）を窓ガラス１０から取り外す場合、まず、ダイヤル３６を軸心廻りに回動して緩めると、吸盤３５の中央部がケース体２外方（窓ガラス１０）に押されて吸盤３５内（吸盤３５と窓ガラス１０との間）の気圧が高くなり、これにより吸盤３５の吸引力が弱められて、吸盤３５乃至ケース体２を引っ張ることによりケース体２を窓ガラス１０から簡単に取り外すことができる。このとき、ダイヤル３６がケース体２から離間して、電源スイッチ１１の作動片１１ａの押圧が解除されて、電源スイッチ１１をオフさせる。従って、ダイヤル３６の操作に連動して電源スイッチ１１がオフして、警報装置１が動作不能状態になり、このとき警報ブザー８が作動していれば、該警報ブザー８は作動を停止する。
【００１９】
従って、吸盤３５を使用することにより、ケース体２の窓ガラス１０への取付を簡単になし得る。また、ダイヤル３６の回動操作により、ガラス窓１０に吸引した吸盤３５内を負圧にして吸盤３５の吸着力を増大させることができるため、ケース体２を吸盤３５により確実かつ強固に取り付けることができる。しかも、吸盤３５を使用してケース体２を窓ガラス１０に固定しているため、ケース体２の窓ガラス１０からの取り外しも簡単になすことができるし、ケース体２の取付位置の変更も容易に行うことができ、非常に便利である。
【００２０】
そして、警報装置１を窓ガラス１０に取り付けた状態のとき、不審者が窓ガラス１０を割って侵入しようとすれば、窓ガラス１０が割れる際等の窓ガラス１０の振動を振動センサ１３が検出し、これによって、警報ブザー８が作動し、不審者が引き違い窓等から侵入しようとしていることを知らせる。また、引き違い窓を開けて該窓から不審者が侵入しようとすれば、引き違い窓を開いた際に窓の窓枠が押圧体３０に衝当することにより、押圧体３０がケース体２内側に押圧されて後退移動してリミットスイッチ１４がオンして、警報ブザー８が作動し、不審者が窓から侵入しようとしていることを知らせる。
【００２１】
また、侵入した不審者が電源スイッチ１１をオフして警報ブザー８の作動を途中で止めようとしても、従来のように電源スイッチ１１を簡単にオフすることはできない。即ち、従来の警報装置では、電源スイッチをケース体に外部に露出した状態で取り付けていた（例えば特許文献２）ため、従来では不審者が窓ガラスを割って侵入したような場合、警報ブザーが作動しても、その不審者が電源スイッチをオフ操作して、警報ブザーの作動を簡単に止めてしまうおそれがあったが、本実施の形態の場合、電源スイッチ１１がどこにあるか分かりにくいし、また、ダイヤル３６を緩める方向に回動しなければ、電源スイッチ１１をオフすることができず、不審者等が警報ブザー８の作動を簡単には止めることができなくなり、警報装置１の機能を十分に発揮することができる。
【００２２】
また、本実施の形態の場合、吸盤３５を窓ガラス１０に吸引装着したときに振動センサ１３が窓ガラス１０に押圧するように、振動センサ１３がケース体２に出退移動自在に保持されると共に振動センサ１３を突出方向に付勢するバネ２８が設けられているので、振動センサ１３を窓ガラス１０に押圧して、振動センサ１３で窓ガラス１０の振動を精度よく検出することができ、窓ガラス１０の割れ等による振動を確実に検出して警報ブザー８を作動させることができる。
図１０は他の実施形態を示し、窓ガラス１０に吸引装着した吸盤３５内を負圧にして吸盤３５の吸着力を増大させるための操作具として、前記ダイヤル３６に代えて、支軸５７廻りに回動操作可能な操作レバー５８を使用したものである。
【００２３】
この実施の形態では、吸盤３５の背面の中央部に、係止片６０を有する操作軸体６１が突設され、操作レバー５８に操作片６２が突設されると共に、操作レバー５８に電源スイッチ１１の作動片１１ａを押圧するための押圧カム６３が設けられている。操作レバー５８を支軸５７廻りに矢印ａ方向に回動操作することにより、操作レバー５８の操作片６２で、窓ガラス１０に吸引装着した吸盤３５の中央部をケース体２内方に引っ張って吸盤３５内を負圧にすると共に、操作レバー５８の押圧カム６３で電源スイッチ１１の作動片１１ａを押圧して、電源スイッチ１１をオンさせるように構成されている。
【００２４】
その他の点は前記実施の形態と同様の構成であり、前記実施の形態の場合と同様に、吸盤３５を使用することにより、ケース体２の窓ガラス１０への取り付けを簡単になし得る。また、ダイヤル３６により、窓ガラス１０に吸引装着した吸盤３５内を負圧にして吸盤３５の吸着力を増大させることができるため、ケース体２を吸盤３５により確実かつ強固に取り付けることができる。しかも、吸盤３５を使用してケース体２を窓ガラス１０に固定しているため、ケース体２の窓ガラス１０からの取り外しも容易になすことができ、ケース体２の取付位置の変更も容易に行うことができる。
【００２５】
図１１は他の実施の形態を示し、警報装置１の構造は、前記図１〜図９の実施形態の場合と略同様の構成であり、ケース体２（警報装置１）が図示省略の吸盤３５により被取付部であるドア６７に吸引装着され、図示省略の振動センサ１３が、ドア６７の鍵穴をあける際の金属音の振動を検出するピッキングセンサとされている。また、振動センサ１３により検出する振動の感度を切り替えるための感度調整用のスイッチ６８が設けられており、感度調整用のスイッチ６８の感度調整により、鍵を鍵穴に挿入して鍵を開ける際の振動を、振動センサ１３で検出して警報ブザー８が作動するのを防止できるようにしている。また、ＬＥＤにより構成した表示灯１５がケース体２のケース本体３の天壁３ａに外部に露出するように設けられている。また、前記図１〜図９の実施の形態におけるリミットスイッチ１４及び押圧片２２を省略している。なお、図１１における７０はドアハンドルである。
【００２６】
そして、この実施形態の場合、図示省略の制御部により表示灯１５を次のように制御するようにしている。即ち、鍵穴に金属物を挿入してピッキングしようとしたとき、または、ピッキングの際の信号に類似した類似信号が入ってきたとき、一定の検出時間内に合計４回のピッキング動作を検出すれば、警報ブザー８の警報音と連動して３０秒間点灯する。この３０秒間の間に再度、ピッキング振動、または、ピッキング振動に類似した類似振動が加わった場合（振動が継続していることも含めて）は、この時間は延長されるようになっている。また、電源スイッチ１１がオンしているときは、表示灯１５が１１秒に１回０．０１秒間点灯される。
【００２７】
また、警報ブザー８は次のように制御される。鍵穴に金属物等を挿入して、ピッキングしようとしたとき、または、ピッキングの際の信号に類似した類似信号が入ってきたとき、一定の検出時間内に合計４回のピッキング動作を検出すれば、警報ブザー８が表示灯１５と連動して３０秒間鳴る。この３０秒間の間に再度、ピッキング振動、または、ピッキング振動に類似した類似振動が加わった場合（振動が継続していることも含めて）は、この時間は延長される。また、鍵穴に金属物を挿入して、ピッキングしようとしたとき、または、ピッキングの際の信号に類似した類似信号が入ってきたとき、検出時間内に合計３回のピッキング動作を検出すれば、警報ブザー８が１秒間鳴るようになっている。
【００２８】
なお、前記実施の形態では、センサとして振動センサ１３が使用され、振動センサ１３は、窓ガラス１０が割れる際の窓ガラス１０の振動を検出するガラス割れセンサとされ、または、振動センサ１３は、ドア６７の鍵穴をあける際の金属音の振動を検出するピッキングセンサとされているが、これに代え、センサとして煙センサを使用し、煙センサが所定以上の煙を検出したときに、警報ブザー８等の警報器を作動するようにしてもよい。
また、前記実施の形態では、警報器として警報ブザー８を使用しているが、警報器は警報ブザー８に限定されず、報知器、警報灯、バイブレータその他を警報器として使用するようにしてもよい。
【００２９】
また、前記図１〜図９の実施形態では、吸盤３５の第１ねじ部材４４をネジ軸により構成し、ダイヤル３６の第２ねじ部材４５を雌ネジにより構成しているが、これに代え、吸盤３５の第１ねじ部材４４を雌ネジにより構成し、ダイヤル３６の第２ねじ部材４５をネジ軸により構成するようにしてもよい。
【図面の簡単な説明】
【００３０】
【図１】本発明の一実施の形態を示す警報装置の斜視図である。
【図２】同警報装置の側面図である。
【図３】同吸盤を窓ガラスに装着する前の警報装置の側面断面図である。
【図４】同吸盤を窓ガラスに装着した状態の警報装置の側面断面図である。
【図５】同吸盤の吸引力を増大させた状態の警報装置の側面断面図である。
【図６】同リミットスイッチ及び押圧体部分の平面断面図である。
【図７】同警報装置の吸盤を窓ガラスに装着する前の側面断面図である。
【図８】同振動センサ部分の分解斜視図である。
【図９】同電気制御系のブロック図である。
【図１０】他の実施形態を示す側面断面図である。
【図１１】他の実施形態を示すドアに警報装置を装着した状態の正面図である。
【符号の説明】
【００３１】
１      警報装置
２      ケース体
８      警報ブザー
９      電池
１０      窓ガラス
１１      電源スイッチ
１３      振動センサ
１４      リミットスイッチ（センサ）
１５      表示灯
３６      ダイヤル（操作具）
４４      第１ねじ軸
４５      第２ねじ軸
５８      操作レバー（操作具）
【図１】
2007286910.tif 000003
【図２】
2007286910.tif 000004
【図３】
2007286910.tif 000005
【図４】
2007286910.tif 000006
【図５】
2007286910.tif 000007
【図６】
2007286910.tif 000008
【図７】
2007286910.tif 000009
【図８】
2007286910.tif 000010
【図９】
2007286910.tif 000011
【図１０】
2007286910.tif 000012
【図１１】
2007286910.tif 000013